(57)【要約】【課題】電源立ち上げ時や省エネモード時からスタンバイ状態になるまでの待ち時間をより一層短縮する画像読取装置を提供する。【解決手段】原稿画像を光学的に読み取る画像読取装置において、画像読取装置が稼働状態であるか又は非稼働状態であるかを判断する元となる情報に基づいて、画像読取装置が稼働状態であるか又は非稼動状態であるかの判断を行う稼働状態判断手段と、稼働状態判断手段による判断の結果、画像読取装置が非稼働状態であると判断された場合、読み取る原稿画像の品質を安定させるための自動調整を行う自動調整実行手段と、を有する。【選択図】図３
2008131406.tif 000002
【特許請求の範囲】
【請求項１】
原稿画像を光学的に読み取る画像読取装置において、
前記画像読取装置が稼働状態であるか又は非稼働状態であるかを判断する元となる情報に基づいて、前記画像読取装置が稼働状態であるか又は非稼動状態であるかの判断を行う稼働状態判断手段と、
前記稼働状態判断手段による判断の結果、前記画像読取装置が非稼働状態であると判断された場合、読み取る原稿画像の品質を安定させるための自動調整を行う自動調整実行手段と、
を有することを特徴とする画像読取装置。
【請求項２】
時間の計測を行う時間計測手段をさらに有し、
前記時間計測手段により計測された時間があらかじめ決められた時間以上になった場合、前記稼働状態判断手段は、前記画像読取装置が稼働状態であるか又は非稼動状態であるかの判断を行うことを特徴とする請求項１記載の画像読取装置。
【請求項３】
前記時間計測手段は、初期値にリセットした後、時間の計測を開始し、
前記時間計測手段により計測された時間があらかじめ決められた時間以上になった場合、前記稼働状態判断手段は、前記画像読取装置が稼働状態であるか又は非稼働状態であるかの判断を行い、
前記稼働状態判断手段により前記画像読取装置稼働状態であると判断された場合は、前記時間計測手段は、前記計測した時間を前記初期値にリセットした後、新たな時間の計測を開始し、
前記稼働状態判断手段により前記画像読取装置が非稼働状態であると判断された場合は、前記自動調整実行手段により前記自動調整を行った後、前記時間計測手段は、前記計測した時間を前記初期値にリセットした後、新たな時間の計測を開始することを特徴とする請求項２記載の画像読取装置。
【請求項４】
前記稼働状態判断手段により前記画像読取装置が稼働状態であると判断された場合、前記画像読取装置が非稼動状態であると判断されるまでウェイトし、
前記稼働状態判断手段により前記画像読取装置が非稼働状態であると判断された場合は、前記自動調整実行手段により前記自動調整を行った後、前記時間計測手段は、初期値にリセットし、前記自動調整が終了した時点からの経過時間の計測を開始し、
前記時間計測手段により計測された経過時間があらかじめ決められた時間以上になった場合、前記計測した経過時間をリセットせずに、前記画像読取装置が非稼動状態であると判断されるまでウェイトすることを特徴とする請求項２記載の画像読取装置。
【請求項５】
前記自動調整実行手段は、前記画像読取装置に対して行った自動調整の結果を所定の記憶部に記憶させることを特徴とする請求項１から４のいずれか１項に記載の画像読取装置。
【請求項６】
前記稼働状態判断手段の判断の元となる情報は、原稿を押さえるための原稿押さえ用部材の開閉状態、外装カバーの開閉状態、記録紙が格納される記録紙格納部の開閉状態、前記画像読取装置の周囲の照度、のうち少なくとも１つであることを特徴とする請求項１から５のいずれか１項に記載の画像読取装置。
【発明の詳細な説明】
【技術分野】
【０００１】
本発明は、原稿画像を読み取る画像読取装置に関する。
【背景技術】
【０００２】
従来、原稿画像を読み取る画像読取装置を備えた、複合機等の画像処理装置は、装置の電源立ち上げ時から原稿画像を読み取り可能な状態（スタンバイ状態）になるまでに時間がかかる。また、従来の画像処理装置は、省電力に貢献するため短時間で省エネモードへ移行する機種が多く、省エネモードからスタンバイ状態に復帰するまでは時間がかかる。よって、利用者が画像処理装置を急ぎ使う場合においては、利便性の点で問題がある。
【０００３】
短い時間でスタンバイ状態にするための従来技術例として、シャットダウン（電源供給停止）状態からの復帰時のスキャナのホーミング及び基準板読み取りのための走行体移動を短い距離で行い、スタンバイまでの時間を短縮する「画像処理装置、スキャナの初期化処理方法及び該方法を実施するためのプログラムを記録した記録媒体」がある（例えば、特許文献１参照）。この発明では、高画質読み取りを達成するため、電源立ち上げ時に基準白板を読み取りながら、ＣＣＤの感度や光源光量の変動による黒レベル、白レベルの変化を補正（調整）しているが、この時間を短縮することで素早く原稿読み取り可能な状態にし、利便性を向上させている。
【特許文献１】特開２００２−１１８７２６号公報
【発明の開示】
【発明が解決しようとする課題】
【０００４】
しかしながら、特許文献１記載の発明は、電源立ち上げ毎の自動調整機能は残しながらスタンバイまでの時間短縮を図っているが、いかなる場合でも基準板から原点までの移動時間がかかってしまうので、スタンバイ状態になるまでの待ち時間を短縮できない。
【０００５】
本発明は、上記事情に鑑みてなされたものであり、電源立ち上げ時や省エネモード時からスタンバイ状態になるまでの待ち時間をより一層短縮する画像読取装置を提供することを目的とする。
【課題を解決するための手段】
【０００６】
かかる目的を達成するために、請求項１記載の発明は、原稿画像を光学的に読み取る画像読取装置において、画像読取装置が稼働状態であるか又は非稼働状態であるかを判断する元となる情報に基づいて、画像読取装置が稼働状態であるか又は非稼動状態であるかの判断を行う稼働状態判断手段と、稼働状態判断手段による判断の結果、画像読取装置が非稼働状態であると判断された場合、読み取る原稿画像の品質を安定させるための自動調整を行う自動調整実行手段と、を有することを特徴とする。
【０００７】
請求項２記載の発明は、請求項１記載の発明において、時間の計測を行う時間計測手段をさらに有し、時間計測手段により計測された時間があらかじめ決められた時間以上になった場合、稼働状態判断手段は、画像読取装置が稼働状態であるか又は非稼動状態であるかの判断を行うことを特徴とする。
【０００８】
請求項３記載の発明は、請求項２記載の発明において、時間計測手段は、初期値にリセットした後、時間の計測を開始し、時間計測手段により計測された時間があらかじめ決められた時間以上になった場合、稼働状態判断手段は、画像読取装置が稼働状態であるか又は非稼働状態であるかの判断を行い、稼働状態判断手段により画像読取装置稼働状態であると判断された場合は、時間計測手段は、計測した時間を初期値にリセットした後、新たな時間の計測を開始し、稼働状態判断手段により画像読取装置が非稼働状態であると判断された場合は、自動調整実行手段により自動調整を行った後、時間計測手段は、計測した時間を初期値にリセットした後、新たな時間の計測を開始することを特徴とする。
【０００９】
請求項４記載の発明は、請求項２記載の発明において、稼働状態判断手段により画像読取装置が稼働状態であると判断された場合、画像読取装置が非稼動状態であると判断されるまでウェイトし、稼働状態判断手段により画像読取装置が非稼働状態であると判断された場合は、自動調整実行手段により自動調整を行った後、時間計測手段は、初期値にリセットし、自動調整が終了した時点からの経過時間の計測を開始し、時間計測手段により計測された経過時間があらかじめ決められた時間以上になった場合、計測した経過時間をリセットせずに、画像読取装置が非稼動状態であると判断されるまでウェイトすることを特徴とする。
【００１０】
請求項５記載の発明は、請求項１から４のいずれか１項に記載の発明において、自動調整実行手段は、画像読取装置に対して行った自動調整の結果を所定の記憶部に記憶させることを特徴とする。
【００１１】
請求項６記載の発明は、請求項１から５のいずれか１項に記載の発明において、稼働状態判断手段の判断の元となる情報は、原稿を押さえるための原稿押さえ用部材の開閉状態、外装カバーの開閉状態、記録紙が格納される記録紙格納部の開閉状態、画像読取装置の周囲の照度、のうち少なくとも１つであることを特徴とする。
【発明の効果】
【００１２】
画像読取装置が非稼動状態の時に自動調整を実行するので、待ち時間を極力減らすことができる。
【発明を実施するための最良の形態】
【００１３】
以下、本発明を実施するための最良の形態について添付図面を参照して詳細に説明する。
【００１４】
本発明の実施形態である画像処理装置は、以下の構成を特徴とする。
【００１５】
原稿読取装置または原稿読取部を有する画像処理装置において、原稿読取部が非稼動状態であることを認識（判断）する認識手段と、その認識手段の認識結果に応じて、読み取り画像の品質を安定させることを目的とする自動調整動作の実行／非実行を判断する制御手段と、を有する。
【００１６】
上記画像処理装置において、一定時間間隔で原稿読取装置または原稿読取部が非稼動状態であることを認識する手段を有する。
【００１７】
上記画像処理装置において、一定時間間隔で原稿読取装置または原稿読取部が非稼動状態であることを認識する認識手段を有し、その認識手段の認識結果に応じて、読み取り画像品質を安定させることを目的とする調整動作の実行／非実行を判断する制御手段とを有する。
【００１８】
上記画像処理装置において、読み取り画像品質を安定させる目的で調整動作を実行した時点からの経過時間を計測する計測手段を有する。
【００１９】
上記画像処理装置において、経過時間の計測手段による計測の結果、あらかじめ決められた時間以上になった場合、読み取り画像品質を安定させることを目的とする調整動作を実行する。
【００２０】
上記画像処理装置において、経過時間の計測手段による計測の結果、あらかじめ決められた時間以上になった場合に、原稿読取装置または原稿読取部が非稼動状態であることを認識する認識手段の結果に応じて、読み取り画像品質を安定させることを目的とする調整動作を実行する。
【００２１】
上記画像処理装置において、原稿読取装置または原稿読取部が非稼動状態であることを認識する認識手段において、原稿押さえ用の部材の開閉状態によって判断を行う。
【００２２】
上記画像処理装置において、原稿読取装置または原稿読取部が非稼動状態であることを認識する認識手段において、機器の外装カバー開閉状態によって判断を行う。
【００２３】
上記画像処理装置において、原稿読取装置または原稿読取部が非稼動状態であることを認識する認識手段において、複写機の記録紙格納部の開閉状態によって判断を行う。
【００２４】
上記画像処理装置において、原稿読取装置または原稿読取部が非稼動状態であることを認識する認識手段において、機器周囲の照度によって判断を行う。
【００２５】
以上の構成により、本実施形態の画像処理装置は、電源立ち上げ時や省エネモードからの復帰時において原稿読取部の自動調整動作を省略するので、素早く読み取りを開始できる。
【００２６】
また、本実施形態の画像処理装置は、原稿読取部の非稼動時間に自動調整を実行し、その結果を不揮発性メモリに保存し、電源立ち上げ時や省エネモードからの復帰時に不揮発性メモリから読み出して原稿読み取り動作時に適用するので、環境や経時で読み取り部の特性が変化しても、読み取り画像品質を安定にすることができる。
【実施例】
【００２７】
本実施形態の画像処理装置の一実施例として、デジタル複写機について以下に説明する。まず、図１を用いて、本実施例のデジタル複写機の構成について説明する。図１は、本実施例のデジタル複写機の構成を示す図である。
【００２８】
ＣＰＵ１は、デジタル複写機の動作を制御する機能を有し、原稿読取部（原稿読取装置）７に対する自動調整動作制御（自動調整実行機能）、原稿読取部７が非稼動状態か否かの判断（稼働状態判断機能）、時間の計測（時間計測機能）などを司る。
【００２９】
ＲＯＭ２は、プログラム用リードオンリーメモリであり、ＣＰＵ１の命令手順（プログラム）が格納されているメモリである。
【００３０】
ＲＡＭ３は、ワーク用ランダムアクセスメモリであり、数値を演算したり、演算した数値を一時的に保持したりするためのメモリである。
【００３１】
不揮発性メモリ４は、デジタル複写機本体の電源ＯＦＦ後も保持可能な不揮発性メモリ（リードライト可）である。本実施例では、自動調整制御による調整結果（具体的には、アナログゲイン値など）を保持する目的で使用する。
【００３２】
ＨＤＤ制御部５は、ハードディスクを制御する機能を有し、画像データを保存、あるいは、一時的に保持するためのハードディスクを制御するブロックである。
【００３３】
ＨＤＤ（ハードディスクドライブ）６は、画像データを保存、あるいは、一時的に保持する役割を担う。
【００３４】
原稿読取部７は、原稿に光を当てて、その反射光を光電変換素子に入射させ、電気信号に変換することで、原稿の画像を読み取る部分である。
【００３５】
画像処理部８は、デジタル信号に変換された画像データに対して、目的に応じた処理（具体的にはＭＴＦ補正、平滑処理、階調処理など）を適用する。
【００３６】
電装制御部９は、デジタル複写機の各ユニットを駆動させるための電装品（モータ、ランプ、センサなど）を制御するブロックである。本実施例では、原稿読み取り用のランプ、読み取り部搬送用のモータ、各種センサ類の制御を司るほか、原稿読取部７が非稼動状態であることを判断する元になる各種センサ情報（例えば、原稿を押さえるための原稿押さえ用部材の開閉状態、外装カバーの開閉状態、記録紙が格納される記録紙格納部の開閉状態、画像処理装置の周囲の照度など）の入力部としての機能をもつ。センサの情報はデータバスを通じてＣＰＵ１が認識可能な構成である。なお、本実施例にて、「原稿読取部が非稼動状態」という定義は、直後または１〜２秒以内に読み取り動作開始の状態が起こらないという非常に短時間での状態を指すものである。これは、調整動作に必要な時間において、読み取り動作と競合しないことを念頭におくものである。
【００３７】
プロッタ部１０は、画像を紙に印字するブロックである。
【００３８】
プロッタ制御部１１は、プロッタ部１０への画像データ処理および電装品の制御を司る。
【００３９】
操作・表示部１２は、入力キーや表示画面などからなる部分である。
【００４０】
表示制御部１３は、表示部１２への表示データを形成、制御するブロックである。
【００４１】
次に、図２を用いて、本実施例のデジタル複写機に備えられる原稿読取部の構成について説明する。図２は、図１の原稿読取部７の構成を示す図である。
【００４２】
原稿台ガラス２１は、読み取り対象の原稿を載置するガラスである。
【００４３】
基準白板２２は、この部分を基準として読み取り濃度を決定するためのものである。本実施例では、自動調整動作において、この基準白板を読み取り、読み取りレベルがほぼ一定になるようにＰＧＡ２７のゲイン値を決定する。
【００４４】
第１キャリッジ２３は、原稿を照射するランプ、その反射光をＣＣＤ２６に入力させるためのミラーおよびその保持部材で構成される。本実施例にて実行する自動調整機能は、ランプ光量の長期的な変動（劣化）に対して、その変動量を補正することがひとつの目的である。
【００４５】
第２キャリッジ２４は、原稿の反射光をＣＣＤ２６に入力させるための２枚のミラーとその保持部材で構成される。
【００４６】
レンズ２５は、原稿の反射光をＣＣＤ２６に結像するためのレンズである。
【００４７】
ＣＣＤ（光電変換素子）２６は、原稿の反射光を電気信号に変換する光電変換部であり、反射光に比例してアナログの電気信号を出力する。
【００４８】
ＰＧＡ（プログラマブルゲインアンプ）２７は、増幅率を切り替えることが可能な増幅回路（ゲイン可変アンプ）である。本実施例では、自動調整動作の際、このＰＧＡ２７のゲイン値を切り替えることで最適なアナログ信号出力を得るものである。
【００４９】
ＡＤＣ（アナログ・デジタル変換器）２８は、アナログ信号をデジタル値に変換するユニットである。
【００５０】
読取レベル調整制御部２９は、ＰＧＡ２７を所定のゲイン値（既定値）に設定して基準白板２２を読み取り、その際のデジタル値を認識し、目標とするレベルとの比率を算出する。その比率より、最適なプログラマブルゲイン値を算出し、その値をＰＧＡ２７に設定するブロックである。
【００５１】
次に、図３を用いて、本実施例のデジタル複合機の基本動作について説明する。図３は、一定時間間隔で原稿読取部７の稼動状態を認識し、原稿読取部７が非稼動状態の時に、調整動作を実行する基本制御のフローを示す。このフローが電源ＯＮ時に、通常制御と並列的に実行されることで、一定間隔で処理できる。
【００５２】
タイマーカウンタＴを０（初期値）にリセットする（ステップＳ３１）。タイマーカウンタＴの値と、あらかじめ決められたカウンタ値Ｔｗとを比較する（ステップＳ３２）。ここで、実際に計測する時間間隔としては数時間単位を想定している。
【００５３】
比較の結果、タイマーカウンタＴがカウンタ値Ｔｗよりも小さかった場合（ステップＳ３２／ＮＯ）、時間に達していないため、Ｔをインクリメントし（ステップＳ３３）、再び比較を行う（ステップＳ３２）。
【００５４】
比較の結果、タイマーカウンタＴがカウンタ値Ｔｗ以上であった場合（ステップＳ３２／ＹＥＳ）、各種センサ類の情報（原稿読取部７が稼働状態であるか又は非稼働状態であるかを判断する元になる情報）に基づいて、原稿読取部７が非稼動状態か否か判断する（ステップＳ３４）。この判断についての詳細（図４のフロー）は後述する。
【００５５】
判断の結果、原稿読取部７が稼動状態であると判断した場合は（ステップＳ３４／ＮＯ）、そのままタイマーカウンタをリセットする（ステップＳ３１）。
【００５６】
判断の結果、原稿読取部７が非稼動状態であると判断した場合は（ステップＳ３４／ＹＥＳ）、原稿読取部７の自動調整動作を実行する。この自動調整動作（図５のフロー）の詳細は後述する。
【００５７】
図４は、原稿読取部７が非稼動状態であるか否かの判断動作を示すフロー（図３のステップＳ３４）である。図４では、一例として、原稿台ガラス２１の上に置かれた原稿を押さえる目的の圧板の状態（開けられているか否か）を認識するセンサの情報（原稿読取部７が稼働状態であるか又は非稼働状態であるかを判断する元になる情報）に基づいて、原稿読取部７が非稼動状態か否かを判断する場合とする。この外に、上記センサの情報として考えられるものは、本体各部のカバー開閉センサ、給紙トレイの開閉センサ、デジタル複写機の周囲（部屋）の明るさ、などがある。これら各々について、もしくは、これらを任意に組み合わせて、図４と同様の判定を行うことも可能である。
【００５８】
まず、圧板センサの状態を取り込む（ステップＳ４１）。すなわち、圧板の状態によって少なくとも２つの状態（開or閉）を認識可能なセンサを設け、その状態を認識する。
【００５９】
そして、取り込んだセンサの状態から圧板が開放されているか否かを判断する（ステップＳ４２）。
【００６０】
圧板が開放されている（開状態）と判断した場合（ステップＳ４２／ＹＥＳ）、使用者によって原稿の差し替えが行われている可能性が高い。そのため、瞬時に原稿読み取り動作が開始される可能性が低く、非稼動状態にあると判断する（ステップＳ４４）。
本実施例以外の、判断に利用する情報（各種センサ類の情報）、非稼働状態の判断要件、その判断理由例について表１に示す。
【表１】
2008131406.tif 000003
【００６１】
圧板が閉じられている（閉状態）と判断した場合（ステップＳ４２／ＮＯ）、すぐに読み取り動作が実行される可能性があり、稼動状態と判断する（ステップＳ４４）。
【００６２】
図５は、原稿読取部７の白レベル調整動作（図３のステップＳ３５）を示すフローである。図５に示す白レベル調整動作は、ＰＧＡ２７の設定値を切り替えて、基準白板２２の読み取りレベルを、目標の値に近づけることが目的である。これにより、ランプの光量が低下した場合でも、ＡＤ変換のダイナミックレンジを広くとることができ、画像品質を確保することができる。
【００６３】
まず、第１キャリッジ２３のランプを点灯し（ステップＳ５１）、基準白板２２の下へ第１キャリッジ２３を移動させる（ステップＳ５２）。
【００６４】
ＰＧＡ２７の値を「１」に設定する（ステップＳ５３）。この設定は、あらかじめ決められたゲイン値で基準白板２２を読み取るためにするものであり、特に「１」に設定する必要があるものではない。
【００６５】
そして、基準白板２２を読み取り（ステップＳ５４）、基準白板ピーク値Ｐｗを検出する（ステップＳ５５）。ここでは、基準白板２２の読み取りレベルのうち、最も高いレベルをＰｗとして検出する。このように、ピーク値について調整することにより、ＡＤ変換にて上限飽和しないようにすることができる。
【００６６】
次に、目標レベルＰとの比率Ｓを算出する（ステップＳ５６）。ここで、目標レベルＰとは、基準白板２２を読み取ったとき、そのピークとして理想的なレベルを指す。算出方法は、「比率Ｓ＝目標レベルＰ／基準白板ピーク値Ｐｗ」の式を用いる。
【００６７】
算出した比率Ｓが１±０．０５に収束しているか否か、すなわち「０．９５＜Ｓ＜１．０５」を満たすか否かを判定する（ステップＳ５７）。本実施例では、±５％の収束範囲を設定したが、収束範囲自体はこれに限定されない。
【００６８】
判定の結果、比率Ｓが収束していない場合（ステップＳ５７／ＮＯ）、その比率ＳをＰＧＡ２７に設定し（ステップＳ５８）、再び基準白板２２を読み取る（ステップＳ５４）。
【００６９】
判定の結果、比率Ｓが収束している場合（ステップＳ５７／ＹＥＳ）、ランプを消灯する（ステップＳ５９）。
【００７０】
最後に、比率Ｓ（すなわちプログラマブルゲインアンプの設定値）を不揮発性メモリ４に記憶させる（ステップＳ６０）。これは、次の電源立ち上げ時または省電力モードからの復帰時に参照できるようにするためである。
以上で、白レベル調整を終了する（ステップＳ６１）。
【００７１】
次に、図６を用いて、本実施例のデジタル複合機の基本動作の別の例について説明する。図６は、原稿読取部７の自動調整動作を終了した後からの時間を計測し、あらかじめ決められた時間が経過すると、原稿読取部７の動作状態（稼働状態or非稼働状態）を判断し、非稼働状態の場合に自動調整動作を試みる制御フローである。この図６は、図３のフローと似ているが、原稿読取部７が非稼動状態ではないと判断された場合にはタイマーカウンタをリセットしないで、非稼動状態と判定されるまでウェイトする点が図３と異なる。
【００７２】
まず、原稿読取部７が非稼動状態であるか否かの判断を行う（ステップＳ７１）。この判断動作は、図４に示す制御フローと同じある。
【００７３】
判断の結果、原稿読取部７が稼動状態であると判断した場合は（ステップＳ７１／ＮＯ）、再び判断を行う（ステップＳ７１）。
【００７４】
判断の結果、原稿読取部７が非稼動状態であると判断した場合は（ステップＳ７１／ＹＥＳ）、原稿読取部７の自動調整動作を実行する（ステップＳ７２）。この自動調整動作は、図５に示す制御フローと同じである。
【００７５】
図５に示す白レベル調整が終了した後（図６のステップＳ６１の後）、タイマーカウンタＴを０（初期値）にリセットする（ステップＳ３１）。ここでのタイマーカウンタのリセットは、図５の自動調整動作を実行してからの経過時間を計測するためである。
【００７６】
タイマーカウンタＴの値と、あらかじめ決められたカウンタ値Ｔｗとを比較する（ステップＳ７４）。
【００７７】
比較の結果、タイマーカウンタＴがカウンタ値Ｔｗよりも小さかった場合（ステップＳ７４／ＮＯ）、時間に達していないため、Ｔをインクリメントし（ステップＳ７５）、再び比較を行う（ステップＳ７４）。
【００７８】
比較の結果、タイマーカウンタＴがカウンタ値Ｔｗ以上であった場合（ステップＳ７４／ＹＥＳ）、各種センサ類の情報に基づいて、原稿読取部７が非稼動状態か否か判断する（ステップＳ７１）。
【００７９】
以上説明したように、本実施例の構成及び制御動作によれば、原稿読取部の非稼動時間に自動調整を実行することにより、従来は稼働時間に行われていた原稿読取部の自動調整を省略することができるので、待ち時間を極力減らして素早く読み取りを開始できる。また、原稿読取部の自動調整動作とその結果とを不揮発性メモリに保存しておき、電源立ち上げ時や省エネモードからの復帰時に上記不揮発性メモリからその保存内容を読み出して原稿読み取り動作時に適用することにより、環境や経時で原稿読取部の特性が変化しても、読み取り画像品質を安定にすることができる。
【００８０】
なお、上記実施例１では、画像処理装置であるデジタル複写機において、ＲＯＭ２に格納されたプログラムに従ってＣＰＵ１が各部を制御することにより、図３〜図６に示す動作が行われるものとしたが、その他の実施例として、読取部７自体に、実施例１と同様のプログラムを格納したＲＯＭ２と、そのプログラムに従って各部を制御するＣＰＵ１とを備えるように構成にし、読取部７において、図３〜図６に示す動作が行われるようにしてもよい。
【００８１】
以上、本発明の実施例について説明したが、上記実施例の記載に限定されるものではなく、その要旨を逸脱しない範囲において種々の変形が可能である。
【産業上の利用可能性】
【００８２】
本発明は、画像読取機能を備えた装置に適用できる。
【図面の簡単な説明】
【００８３】
【図１】本発明の実施例であるデジタル複合機の構成を示すブロック図である。
【図２】本発明の実施例であるデジタル複合機における画像読取部（画像読取装置）の構成を模式的に示す図である。
【図３】本発明の実施例であるデジタル複合機の基本動作の一例を示すフローチャートである。
【図４】本発明の実施例であるデジタル複合機における原稿読取部の稼働判定動作を示すフローチャートである。
【図５】本発明の実施例であるデジタル複合機における原稿読取部の白レベル調整動作を示すフローチャートである。
【図６】本発明の実施例であるデジタル複合機の基本動作の別例を示すフローチャートである。
【符号の説明】
【００８４】
１    ＣＰＵ（セントラルプロセッシングユニット）
２    ＲＯＭ（リードオンメモリ）
３    ＲＡＭ（ランダムアクセスメモリ）
４    不揮発性メモリ
５    ＨＤＤ制御部
６    ＨＤＤ（ハードディスクドライブ）
７    原稿読取部（画像読取装置）
８    画像処理部
９    電装制御部
１０    プロッタ部
１１    プロッタ制御部
１２    操作・表示部
１３    表示制御部
２１    原稿台ガラス
２２    基準白板
２３    第１キャリッジ
２４    第２キャリッジ
２５    レンズ
２６    ＣＣＤ（光電変換素子）
２７    ＰＧＡ（プログラマブルゲインアンプ）
２８    ＡＤＣ（アナログ・デジタル変換器）
２９    読取レベル調整制御部
【図１】
2008131406.tif 000004
【図２】
2008131406.tif 000005
【図３】
2008131406.tif 000006
【図４】
2008131406.tif 000007
【図５】
2008131406.tif 000008
【図６】
2008131406.tif 000009